Podtech/llm-jp-corpus-v4-ja_patent huggingface dataset:
(57)【要約】【課題】チップ型のＬＥＤ素子を用いた面発光装置と比較して、より多くの光を取り出すことが可能な面発光装置を提供する。【解決手段】面発光装置１は、砲弾型のＬＥＤ素子３を配列したＬＥＤアレイ５と、ＬＥＤアレイ５の光の射出方向に配置された両凸レンズ７と、両凸レンズ７から射出された光を光の取り出し方向に反射する反射板９とを備える。砲弾型のＬＥＤ素子３から射出した光は、両凸レンズ７を介して反射板９方向に射出される。そしてこのときＬＥＤ素子３から射出される光の指向角は、両凸レンズ７によって狭められる。これにより砲弾型のＬＥＤ素子３から射出した光を、より遠くまで到達させることができる。【選択図】  図１
2008186723.tif 000002
【特許請求の範囲】
【請求項１】
砲弾型のＬＥＤ素子を配列したＬＥＤアレイと、
前記ＬＥＤアレイの光の射出方向に配置された両凸レンズと、
前記両凸レンズから射出された光を光の取り出し方向に反射する反射板とを備えること、
を特徴とする面発光装置。
【請求項２】
前記両凸レンズは、
前記ＬＥＤアレイの配列方向と略平行に配置された略円柱状のレンズ部材であること、
を特徴とする請求項１記載の面発光装置。
【発明の詳細な説明】
【技術分野】
【０００１】
本発明は、面発光装置に関する。
【背景技術】
【０００２】
従来、液晶モニタ等のバックライトとして用いられる面発光装置としては、特許文献１に記載された装置がある。
【０００３】
【特許文献１】特開２００４−４８９２号公報
【発明の開示】
【発明が解決しようとする課題】
【０００４】
しかしながら、この様な装置では、ＬＥＤ素子から射出される光を、ＬＥＤアレイと対向する位置まで届かせる為に、指向角の狭いチップ型のＬＥＤ素子を用いる必要があった。これは、チップ型のＬＥＤ素子と比較して発光する光の量が多い砲弾型のＬＥＤ素子を用いた場合、光の指向角がチップ型に広いことに起因して、遠方まで光を到達させることができないことに起因する。そして、発光する光の量が砲弾型のＬＥＤ素子と比較して少ないチップ型のＬＥＤ素子を用いて面発光装置を構成した場合、十分な量の光を取り出すことができないという問題があった。
【０００５】
そこで、本発明はこの様な実情に鑑みてなされたものであり、チップ型のＬＥＤ素子を用いた面発光装置と比較して、より多くの光を取り出すことが可能な面発光装置を提供することを目的とする。
【課題を解決するための手段】
【０００６】
上記課題を解決する為に、本発明にかかる面発光装置は、砲弾型のＬＥＤ素子を配列したＬＥＤアレイと、前記ＬＥＤアレイの光の射出方向に配置された両凸レンズと、前記両凸レンズから射出された光を光の取り出し方向に反射する反射板とを備えることを特徴としている。
【０００７】
この構成によれば、砲弾型のＬＥＤ素子から射出した光は、両凸レンズを介して反射板方向に射出される。そしてこのときＬＥＤ素子から射出される光の指向角は、両凸レンズによって狭められる。これにより砲弾型のＬＥＤ素子から射出した光を、より遠くまで到達させることができる。
【発明の効果】
【０００８】
この様に、本発明によれば、チップ型のＬＥＤ素子を用いた面発光装置と比較して、より多くの光を取り出すことができる。
【発明を実施するための最良の形態】
【０００９】
以下、本発明を適用した具体的な実施の形態について図面を参照しながら詳細に説明する。
【００１０】
図１に示す様に、面発光装置１は、砲弾型のＬＥＤ（Light Emitting Diode）素子３を配列したＬＥＤアレイ５と、ＬＥＤアレイ５の光の射出方向に配置されたレンズ部材７と、レンズ部材７から射出された光を光の取り出し方向に反射する反射板９とを備える。面発光装置１では、これら各部材は、内部を中空とした筐体１１に収容される。
【００１１】
ＬＥＤ素子３は、指向角が広く、発光量がチップ型のＬＥＤ素子と比較して多い、砲弾型のＬＥＤ素子である。図２に示す様に、砲弾型のＬＥＤ素子Ｂから射出される光の指向角をαとし、チップ型のＬＥＤ素子Ｃから射出される光の指向角をβとした場合、指向角αは、指向角βよりも大きくなる。従来では、砲弾型のＬＥＤ素子の指向角の大きさ、及び砲弾型のＬＥＤ素子から射出される光の到達距離の短さに起因して、発光量の多い砲弾型のＬＥＤ素子を面発光装置に適用することが困難であった。しかしながら本発明では、チップ型のＬＥＤ素子と比較して発光量の多い砲弾型のＬＥＤ素子３を用いることによって、面発光装置１の光の発光量を増加させることができる。
【００１２】
ＬＥＤアレイ５は、ＬＥＤ素子３から発光した光を、筐体１１の一方の壁から対向する壁の方向に対して射出することが可能となる様に、筐体１１内部に形成されている。そして、この様なＬＥＤアレイ５の正面には、両凸レンズとしてのレンズ部材７が配置される。
【００１３】
レンズ部材７は、ＬＥＤアレイ５と略平行に、ＬＥＤアレイ５の正面に配置される。この様なレンズ部材７は、両凸レンズの効果によって、ＬＥＤ素子３から射出される光の指向角を狭め、光をより遠くへ到達させる。具体的には、レンズ部材７は、例えばアクリル等の透明体を、略円柱状に形成して構成される。そして、この様なレンズ部材７を、レンズ部材７の軸がＬＥＤアレイ５の配列方向と略平行となる様に、ＬＥＤアレイ５の正面に配置することによって、面発光装置１では、面発光装置１を側面から見た場合にＬＥＤアレイ５の正面に両凸レンズが配置された様な状態となる。また、図３に示す様にレンズ部材７は、ＬＥＤ素子３から射出される光の指向角αによって形成される領域に接する様に配置されることが好ましい。これにより、ＬＥＤ素子３から射出した光を、無駄なくレンズ部材７内部に取り込むことができる。そして同図に示す様に、ＬＥＤ素子３から指向角αをもって射出した光は、レンズ部材７を介して略水平に反射板９の方向に射出される。このときレンズ部材７を介して射出した光の到達距離は、レンズ部材７を用いて光が集約することに起因して、レンズ部材７を介さずにＬＥＤ素子３から射出した光の到達距離と比較して格段に長くなる。これにより、ＬＥＤ素子３から射出した光を、反射板９の隅々まで行き渡らせることが可能となり、ＬＥＤアレイ５が形成された壁面と対向する壁面にも光を到達させることが可能となる。
【００１４】
反射板９は、レンズ部材７を介してＬＥＤアレイ５から射出された光を、面発光装置１の光の取り出し方向に向けて反射する。また、反射板９にＬＥＤアレイ５から射出された光を拡散する反射ドットを形成することも可能である。スクリーン印刷等によって反射板９の表面に反射ドットを形成することによって、ＬＥＤアレイ５から射出された光を、一様に光の取り出し方向に向けて反射することができる。
【図面の簡単な説明】
【００１５】
【図１】本発明の実施の形態として示す発光式看板の斜視図である。
【図２】同発光式看板の要部上面図である。
【図３】同発光式看板の要部断面図である。
【符号の説明】
【００１６】
１    発光式看板
３    面発光装置
５    筐体
７    ＬＥＤアレイ
９    反射面
１１    反射部材
１３    反射ドット
１５    台座
１７    記録媒体
１９    ＬＥＤアレイ
【図１】
2008186723.tif 000003
【図２】
2008186723.tif 000004
【図３】
2008186723.tif 000005
(57)【要約】      （修正有）【課題】インターネットにおいて、特定の情報を売買する情報システムを提供する。【解決手段】広く一般に公開されたサイトにおいて、情報を売買できることを目的としたものである。情報購入希望者は、ショッピングサイトの購入ボタンをクリックするのと同様に、情報購入の意思表示をパソコン上で入力し、支払方法等の入力をしたうえ、情報提供者の承認がとれると、自動的に情報提供者の情報データベースより、所定の情報が情報購入者のパソコンに表示されるか、あるいは電子メールなどで配信される。このことにより情報入手希望者は、本人の欲しい情報だけ購入できることになる。【選択図】図１
2008186436.tif 000002
【特許請求の範囲】
【請求項１】
インターネットにおいて、特定の情報を売買する情報システム
【請求項２】
インターネットにおいて、情報購入希望者が所定の手続きをパソコン画面上で操作をすることにより、情報提供者からそのパソコンあてに、購入情報がインターネットを介して配信される情報システム
【発明の詳細な説明】
【技術分野】
【０００１】インターネット・ＷＥＢデータベース
【背景技術】
【０００２】ｅコマース
【発明の開示】
【発明が解決しようとする課題】
【０００３】インターネット上で有形物品の売買（ｅ−コマース）は一般化している半面、スポットの情報の売買がおこなわれていない。
【課題を解決するための手段】
【０００４】有形物品の売買同様、情報購入希望者がパソコン画面上より購入希望の処理をし、情報代金の支払などの方法について、購入者・提供者双方の合意がとられた場合、提供者は購入者のパソコンに当該情報を表示するか、あるいは購入者のメールアドレスに情報メールを配信する。
【発明の効果】
【０００５】有形物品の売買以外にも情報に対する需要も潜在的には多く存在し、会員などの登録手続きなしに、買い物をする感じで情報を購入することはインターネット社会には適合する商行為と考えられる。
【発明を実施するための最良の形態】
【０００６】競馬・オートレースなどのギャンブルなどの有料出目予想は、現状前金で会員になり、会員専用サイトへのアクセス、あるいは届出メールアドレスへの配信によっておこなわれているが、これをスポットに非会員でも購入できるようにする。
【実施例】
【０００７】競馬・オートレースなどのギャンブルの出目予想。
【産業上の利用可能性】
【０００８】来場者減少による低迷が続く公営競技においても、ネットの売上は増加し、ネット投票への期待は大きい。しかしながら、本場にはいる馬券・車券購入の指南役である予想業者の出目はネット投票者には伝えられず、本案が取り入れられる可能性は大きい。
【図面の簡単な説明】
【０００９】
【図１】当情報システムの概要図である。
【図１】
2008186436.tif 000003
(57)【要約】【課題】  コラーゲンを添加した酢はコラーゲン特有の魚臭を軽減すると共に、美肌と美容と健康に有効であるコラーゲンを寿司として食することに美味しさと美肌等を同時に得ることのできる寿司を提供する。【解決手段】  コラーゲンを添加してなる酢により調理してなる酢めしを使用することを特徴とする寿司。【選択図】図１
2008167742.tif 000002
【特許請求の範囲】
【請求項１】
コラーゲンを添加してなる酢により調理してなる酢めしを使用することを特徴とする寿司。
【請求項２】
上記酢めしの上部に寿司ネタを設けてなることを特徴とする請求項１記載の寿司。
【請求項３】
コラーゲンと酢の重量比率を１対３〜８とすることを特徴とする請求項１又は２記載の寿司。
【請求項４】
コラーゲンを２０００ｍｇ以上配合してなることを特徴とする請求項１、２又は３記載の寿司。
【請求項５】
コラーゲンを海魚から抽出したマリンコラーゲンとすることを特徴とする請求項１、２、３又は４記載の寿司。
【請求項６】
寿司ネタを鯖とすることを特徴とする請求項１、２、３、４又は５記載の寿司。
【発明の詳細な説明】
【技術分野】
【０００１】  本発明は、コラーゲンを添加してなる酢により調理してなる酢めしの上部に焼き鯖等を設けてなる寿司に関するものである。
【背景技術】
【０００２】  従来の技術として、類似する内容の出願はないが、例えば植物性食物繊維を含有するコラーゲン製品に於いて、当該製品中に、植物性食物繊維及びコラーゲンを、植物性食物繊維対コラーゲンの比が各々乾燥重量に換算して９５：５乃至５：９５となるような量で含有することを特徴とする前記コラーゲン製品がある。（特許文献１参照）
【特許文献１】  特開平８−２１４７８６号
【発明の開示】
【発明が解決しようとする課題】
【０００３】  上記従来技術は、干瓢と同様に用いて油揚、昆布、キャベツ等を結えて巾着、昆布巻き、ロールキャベツ等を、又海苔及び白米とによって海苔巻き寿司等従来から見られる食品を、又は野菜、魚介類等をチューブに充填或はシートに包む等により、或いは又、リボン状若しくは任意の形状のコラーゲン製品単独で用いる事により従来に無い食品を得るその素材を提供することであり、本質的に異なるもので、機能・効果も違うものである。【０００４】  本発明は、このような従来の構成が有していた問題を解決しようとするもので、コラーゲンを添加した酢はコラーゲン特有の魚臭を軽減すると共に、美肌と美容と健康に有効であるコラーゲンを寿司として食することに美味しさと美肌等を同時に得ることのできる寿司を提供することを目的とするものである。
【課題を解決するための手段】
【０００５】  本発明は、上記目的を達成するため、コラーゲンを添加してなる酢により調理してなる酢めしを使用する。
また、酢めしの上部に寿司ネタを設けてなる。
そして、コラーゲンと酢の重量比率を１対３〜８とする。
そしてまた、コラーゲンを２０００ｍｇ以上配合してなる。
さらに、コラーゲンを海魚から抽出したマリンコラーゲンとする。
さらにまた、寿司ネタを鯖とすることを特徴とする。
【発明の効果】
【０００６】１）、コラーゲンを添加してなる酢により調理してなる酢めしを使用することにより、コラーゲン特有の臭い（魚臭）を軽減し、美味しく食することができる。
２）、コラーゲンと酢の重量比率を１対３〜８とすることにより、特に女性の好むまろやかな味となる。
３）、コラーゲンを２０００ｍｇ以上、美肌等の効果を得るのであれば２５００ｍｇ以上が望ましくその効果を体験できる。（１人前として）
４）、コラーゲンをマリンコラーゲン（海魚）とすることにより、寿司ネタ（魚貝類）との相性がよく美味しい。
５）、特に、寿司ネタを焼き鯖とすることにより、コラーゲンを添加した酢めしとの相性がよく、美味しさと、美肌・美容・健康を得ることができる。
【発明の実施するための最良の形態】
【０００７】  １は、寿司である。（棒寿司等）
２は、マリンコラーゲンを添加してなる酢に、砂糖等の調味料を入れて調理してなる酢めしで、マリンコラーゲンと酢の重量比率を１対５前後とするのが望ましい。
また、マリンコラーゲンを２０００ｍｇ以上とし、望ましくは２５００ｍｇ以上である。
３は、寿司ネタで、望ましくは鯖（しめ鯖でもよい）を焼いたものがよく、上記酢めし２と合うもので、上部に設けてなる。
【０００８】  なお、寿司１はにぎり寿司でも、棒寿司や押し寿司でもよい。
また、寿司ネタ３は、鯖のみならず、他の魚貝類でもよい。
さらに、コラーゲンは海魚が望ましいが、他のコラーゲンでもよい。
【図面の簡単な説明】
【０００９】
【図１】本発明の一実施例を示す寿司の側面断面図
【図２】本発明の一実施例を示す寿司の平面図
【符号の説明】
【００１０】  １−−−寿司
２−−−酢めし
３−−−寿司ネタ
【図１】
2008167742.tif 000003
【図２】
2008167742.tif 000004
(57)【要約】【課題】本発明は、孟宗竹のたけのこの水煮を燻製して、さらに調味液に漬け込み、香ばしく且つシコシコと柔らかくしたいぶりたけのこの製造方法を提供する。【解決手段】本発明のいぶりたけのこの製造方法は、水煮たけのこ原料を縦に２分割して２０分間煮沸し、その後１２時間水にさらしてアク抜きを行い、表皮面をガスバーナーで焼いて焦げ目をつけ、さらに約５０分〜６０分燻製を行ってたけのこの水分量を６５％〜７５％に調節し、その後比内地鶏スープを主成分とする調味液に漬け込み、冷蔵庫で４８時間保管し味付けするものである。【選択図】図１
2008167710.tif 000002
【特許請求の範囲】
【請求項１】
水煮たけのこ原料を縦に２分割して２０分間煮沸し、その後１２時間水にさらしてアク抜きを行い、表皮面をガスバーナーで焼いて焦げ目をつけ、さらに約５０分〜６０分燻製を行ってたけのこの水分量を６５％〜７５％に調節し、その後比内地鶏スープを主成分とする調味液に漬け込み、冷蔵庫で４８時間保管し味付けすることを特徴とするいぶりたけのこの製造方法。
【発明の詳細な説明】
【技術分野】
【０００１】
本発明は、孟宗竹のたけのこの水煮を燻製して、さらに調味液に漬け込むいぶりたけのこの製造方法に関する。
【背景技術】
【０００２】
従来、下漬け処理した野菜を焙乾処理した後、調味液漬け処理又は漬け床漬け処理をすることが一般的に知られている（特許文献１を参照）。
この公知技術では、食塩２２．５重量部、グルコン酸Ｎａ２２．５ｇ重量部を水３００重量部に溶解した下漬液に、白首大根約５００重量部を漬込み、大根重量の約１．５倍の重石を加えて７〜１４日間下漬けをした大根を、通常の焙乾工程で焙乾中の鰹節が入っている庫内に入れ、焙乾し、次に焙乾した大根を調味液に乾燥大根とほぼ同じ重さの重石をかけて、１週間浸漬し、浸漬中３昼夜経過した時点で大根の天地を逆にして大根の燻製漬物を得たものである。
【特許文献１】特開２００５−２８７３４７号公報
【発明の開示】
【発明が解決しようとする課題】
【０００３】
本発明は、孟宗竹のたけのこの水煮を燻製して、さらに調味液に漬け込み、香ばしく且つシコシコと柔らかくしたいぶりたけのこの製造方法を提供することを目的とする。
【課題を解決するための手段】
【０００４】
本発明のいぶりたけのこの製造方法は、水煮たけのこ原料を縦に２分割して２０分間煮沸し、その後１２時間水にさらしてアク抜きを行い、表皮面をガスバーナーで焼いて焦げ目をつけ、さらに約５０分〜６０分燻製を行ってたけのこの水分量を６５％〜７５％に調節し、その後比内地鶏スープを主成分とする調味液に漬け込み、冷蔵庫で４８時間保管し味付けするものである。
【発明の効果】
【０００５】
本発明のいぶりたけのこの製造方法は、孟宗竹のたけのこの水煮を燻製して、さらに調味液に漬け込むため、香ばしく且つシコシコと柔らかくしたいぶりたけのこができる効果がある。
【発明を実施するための最良の形態】
【０００６】
本発明のいぶりたけのこの製造方法の一実施例を添付図面に基づいて、以下に説明する。
本発明において用いられる孟宗竹のたけのこ原料は、市販されている丸のまま水煮したものを１８リットル缶に詰めているもので、たけのこ原料の大きさは１０〜１５ｃｍで、これを水煮缶から取り出し、縦に半分に切断する。
縦に半分にしたたけのこを沸騰したお湯で２０分間ボイルし、そして冷却後に、たけのこに付着している白いツブツブ（チロシン）を取って表面をきれいに清掃する。
表面をきれいにした半割のたけのこを１２時間水にさらしてアク抜きを行う。
【０００７】
アク抜きの終わったたけのこの表皮面をガスバーナーで焼き、表皮面に焦げ目をつける。
さらに、焦げ目をつけたたけのこを炭火とガスで焼き、同時に楢、クヌギや桜などの生木を焚き、煙を燻らして燻製にする。
この薫製時間は約５０〜６０分で、この時水分の目減りが全体量の２５％〜３５％減位になるようにする。なお、水分量は６５％〜７５％とするが、３５％以上の水分が抜けると硬くてダメになる。
燻製が終わったら、たけのこの表面の炭の灰等の汚れを落とし、たけのこをきれいに清掃する。
【０００８】
そして、たけのこを醤油、糖類（果糖液糖・水飴・砂糖）、化学調味料（アミノ酸等）、比内地鶏ガラ、かつお節エキス、魚醤、酸味料、醸造調味料、酵母エキス、香辛料、酸化防止剤（Ｖ．Ｃ）、食塩、くん液、酒精、ＶＢ１、ＶＥからなる調味液に漬込み、冷蔵庫の冷蔵室で４８時間静置し、味付けをする。
調味液からたけのこを取り出し、１個ずつ袋詰めして真空密封シールを行い、その後９０℃５０分の加熱殺菌を行う。
加熱殺菌後、冷却を待って検品、梱包を行う。
【図面の簡単な説明】
【０００９】
【図１】本発明のいぶりたけのこの製造工程を示す工程図である。
【図１】
2008167710.tif 000003
(57)【要約】【課題】  従来のマスカラを落とす方法では、リムーバーが目に入りやすく、またリムーバーを直接マスカラに馴染ませる際、下まぶたとの間に摩擦を起こし、小ジワを発生させる原因にもなる。また、コットンを使用する方法では、まつ毛の際までコットンが届きにくく、落とし残しが出来る。【解決手段】  上面挟圧板（1）と下面挟圧板（2）を支持軸（3）を支点にし、支持軸後方に反発材（4）を設けることにより、上下挟圧板の開閉操作手段を備え、上下挟圧板の先端部（5）が閉鎖動作時にまつ毛を上下から挟み込むことを特徴とし、先端部（5）を溝型形状にすることにより、溝部分に化粧用清拭物品を差し込むことのできる挟持式マスカラ落とし具。【選択図】  図1
2008167781.tif 000002
【特許請求の範囲】
【請求項１】
上面挟圧板（1）と下面挟圧板（2）を支持軸（3）を支点にし、支持軸後方に反発材（4）を設けることにより、上下挟圧板の開閉操作手段を備え、上下挟圧板の先端部（5）が閉鎖動作時にまつ毛を上下から挟み込むことを特徴とする挟持式マスカラ落とし具。
【請求項２】
上下挟圧板（1、2）の先端部（5）を溝型形状にすることにより、溝部分に化粧用清拭物品を差し込むことを有する挟持式マスカラ落とし具。
【発明の詳細な説明】
【技術分野】
【０００１】
本発明は、アイメイク用マスカラを落とす為の器具に関する。
【背景技術】
【０００２】
従来のリムーバー（オイル、ジェル、クリームなど）をマスカラに直接馴染ませて時間を置いてこすり落とす方法もしくは、コットンなどにリムーバーを染み込ませたものを使ってまつ毛を両側からはさみ、こすり落とす方法。
【発明の開示】
【発明が解決しようとする課題】
【０００３】
従来のマスカラを落とす方法では、リムーバーが目に入りやすかったり、またリムーバーを直接マスカラに馴染ませる際、下まぶたとの間に摩擦を起こし、小ジワを発生させる原因にもなる。また、コットンを使用する方法では、まつ毛の際までコットンが届きにくく、落とし残しが出来、何度かこの作業をくり返す事になるなど、手間がかかる。
【課題を解決するための手段】
【０００４】
上面挟圧板（1）と下面挟圧板（2）を支持軸（3）を支点にし、支持軸後方に反発材（4）を設けることにより、上下挟圧板の開閉操作手段を備え、上下挟圧板の先端部（5）が閉鎖動作時にまつ毛を上下から挟み込むことを特徴とし、先端部（5）を溝型形状にすることにより、溝部分に化粧用清拭物品を差し込むことのできる挟持式マスカラ落とし具。
【発明の効果】
【０００５】
上述の特徴を利用すれば、リムーバーは目に入りにくく、また下まぶたの小ジワの元となる摩擦を起こさない。また時間短縮にその特徴が有効である。
【発明を実施するための最良の形態】
【０００６】
以下、本発明を実施するための最良の形態について説明する。
上側挟圧板（1）と下側挟板（2）を支持軸（3）を支点にし、支持軸後方に反発材（4）を設けることにより、上下挟圧板の開閉操作手段を備え、上下挟圧板の溝加工された先端部（5）を閉鎖時にまつ毛を上下から挟み込むことが出来る。
本発明は、以上のような構造である。
これを使用するときは、先端の溝部分に化粧用清拭物品を差し込み、マスカラ除去液を化粧用清拭物品に塗布し、上下挟圧板の後部を指でつまむことにより、先端部が閉鎖されるので、閉鎖された上下挟圧板先端部の間にまつ毛を挟み後方に引くことにより、まつ毛に付いていたマスカラが化粧用清拭物品に付着し、まつ毛から除去されるようになる。
【産業上の利用可能性】
【０００７】
本発明は、化粧品を販売する産業分野で利用する事が出来る。
【図面の簡単な説明】
【０００８】
【図１】本発明の斜視図である。
【図２】本発明の側面図である。
【図３】本発明の先端拡大図である。
【符号の説明】
【０００９】
1上面挟圧板
2下面挟圧板
3支持軸
4反発材
5先端部
【図１】
2008167781.tif 000003
【図２】
2008167781.tif 000004
【図３】
2008167781.tif 000005
(57)【要約】【課題】  物干し竿は一般的に円筒で、横滑りし易く落下し易い。また、一般的に物干し竿の設置場所は高い所にあり、背の低い女性などには竿を掛けることが容易ではない。【解決手段】  物干し竿の両端に棒状の補助具を取り付け、L字を形成してストッパーの効果を持たせる。また、補助具を棒状とすることにより、その長さの分だけ高い所へ竿を掛けることが可能となる。【選択図】        図４
2008167788.tif 000002
【特許請求の範囲】
【請求項１】
２分割して開く環状の部分と、その外周に取り付けられた一定の長さを持つ棒状の部品で構成し、２分割して開く環状の部品は閉じた状態で固定できる止め具を有する。又棒状部品の先端には弾性体を設置し安全性を高めている。環状部品の開閉により簡便に物干し竿端部へ取り付け、竿と本補助具でL字型を形成し竿の落下を防止する事を特長とした物干し竿落下防止補助具である。
【請求項２】
一定の長さを持つ棒状の部品は、これをもち手としてその長さの分だけ、物干し竿を高い所に設置できる事を特長とした請求項１の物干し竿落下防止補助具である。
【請求項３】
止め具を持ち２分割して開く環状の部品の内面に弾性体を設置し、同部品を閉じ、止め具を固定する事により。環状部品内面の弾性体が物干し竿へ密着し当該物干し竿落下防止補助具が物干し竿へ固定される事を特長とする請求項１の物干し竿落下防止補助具である。
【発明の詳細な説明】
【技術分野】
【０００１】
本発明は、物干し竿の落下防止補助具に関するものである。
【背景技術】
【０００２】
従来の物干し竿の落下防止に竿を支えに固定する方式か、又は、円盤状のストッパーを取り付けたりしていたが、固定方式は手間が掛かり、取り扱いが不便である。又円盤状のストッパーを取り付けるものはそれ自体が
竿を支柱に掛ける時に障害となる不具合があった。又、物干し竿の設置場所は通常高く設定されていて、身長の低い人には竿を掛ける事も容易ではない。
【発明の開示】
【発明が解決しようとする課題】
【０００３】
本発明の課題は、通常円筒形である物干し竿が横ずれして脱落する事を簡単な構造により防止し、又、背の低い人でも容易に高い所へ竿を掛ける事が出来るようにする補助具を提供する事である。
【課題を解決するための手段】
【０００４】
この課題を解決するための請求項１の発明は、竿両端の補助具を棒状の筒として竿とL字を形成させる。
【発明の効果】
【０００５】
本発明により、竿が横ずれして落下する事を防止できる。また、補助具は棒状であることにより、この部分を利用して高い所へ竿を書ける事ができる。
【発明を実施するための最良の形態】
【０００６】
図４は、竿に補助具を設置した状態であり、両端がL字を形成している。
補助具の長さ分だけ高い所へ届く。
【０００７】
図２は、補助具を横から見た図で、取り付け分部は開閉式となっており、取り付け後螺子で締め付け固定する。
竿に接する内面は弾力材で緩みを防止する構造となっている。    
【産業上の利用可能性】
【０００８】
本発明に係わる補助具の部材は、特殊素材ではなく、形状も形成し易く工業的に量産する事が可能であるため、産業上の利用可能性を有する。
【図面の簡単な説明】
【０００９】
【図１】本補助具の全体図である。
【図２】本補助具の環状部品の止め具を開放した図である。
【図３】本補助具の環状部品を取り付け準備状態に開放した図である。
【図４】本補助具を物干し竿に取り付けた状態の図である。
【符号の説明】
【００１０】
１        環状部品
２        開口部の止め具
３        竿に接する内面の弾性体
４        棒状部品
５        末端部の安全性確保のための弾性体
【図１】
2008167788.tif 000003
【図２】
2008167788.tif 000004
【図３】
2008167788.tif 000005
【図４】
2008167788.tif 000006
(57)【要約】      （修正有）【課題】キノコ栽培袋において、培地投入ショックによる切り裂けを防ぎ、培養、熟成行程の完了後、キノコ発生操作時、カットし易いキノコ栽培袋の提供。【解決手段】キノコ栽培袋１の本体１１上部に、培地投入口１２を設け、該培地投入口１２の縁部１２に僅かな間隔１４をおいて小さな切り孔（スリット）７が数箇所設けられることを特徴とする。【選択図】図２
2008167727.tif 000002
【特許請求の範囲】
【請求項１】
本体の充填口の縁部にそって少し内側に孔を開けたことが特徴のキノコ栽培袋。
【発明の詳細な説明】
【発明の詳細な説明】
【０００１】この発明は、キノコ栽培袋に関し、培養、熟成行程が完了後発生操作のために袋をカットする際、袋をカットし易いように工夫をしたもので、袋本体の充填口の縁部にそって少し内側に孔を開けたことが特徴のキノコ栽培袋である。
【技術分野】
【０００２】この発明は、キノコ栽培袋の技術の分野に属するものである。
【背景技術】
【０００３】従来、キノコ栽培袋（１）はポリエチレンやポリプロピレンフイルムの筒状で上部を投入口（２）として開口し、下部を密封したものである。また、袋本体（１）の上側の通気孔（３）は直径３０ｍｍ程の孔を開けたもので、この部分をカバーするようにフィルター（４）を貼り付けた構造である。この種のものは、培地をいれて、殺菌冷却、接種後雑菌の侵入をふせぐため投入口を熱シール（５）するものである。
【発明が解決しようとする課題】
【０００４】従来のこの種の栽培袋（１）を使った栽培では、培地を投入し殺菌・冷却した後、接種し、雑菌の侵入をおさえるため、図３に示すように熱シール（５）する。２０℃で３０日間の培養し、２３℃で８０日間熟成した後、栽培袋（１）を開封し、発生行程に入るが、栽培袋（１）の口が切れ難いので手捌きで開封するのは困難であった。また、切り裂き易いように開口縁（６）に切り口を付ける方法もあるが、この種の袋はインフレーション製品であるので組織に縦方向性に製造し、噴出し方向（この場合は袋の縦長方向）は切り裂き易いよう製造しているため、切り口が開いていると培地の投入ショックで切り裂けて破れてしまう等の欠点があった。
【０００５】この発明は、培地の投入ショックでは切り裂けず、なお、開封時には切り裂け易い栽培袋を提供し、従来の欠点を解決しようとするものである。
【課題を解決するための手段】
【０００６】この発明は、袋本体（１）の投入口（２）の縁部（６）にそって少し内側に孔（７）を開けたことによって、培地投入ショックによって袋（１）が裂けてしまうことを防ぎ、培養行程、熟成行程が完了後、容易に開封することがでが出来るようにして課題を解決したものである。
【実施例】
【０００７】つぎに、従来のキノコ栽培袋を図１について説明する。
（１）は従来の栽培袋本体で、この本体（１）の上部は開口して投入口（２）を有し、上部一側に直径３０ｍｍほどの通気孔（３）を開け、この通気孔（３）を不織布状のフィルター（４）で覆っている。【０００８】このような構造にしたキノコ栽培袋（１）を使った場合、図３に示すように培地を充填し培養行程、熟成行程を経て発生操作の時点でカットし栽培袋（１）を剥ぎ取るが、その方法としてカッター等で切り口を入れてカットしていた。また、この袋はインフレーション成型で縦方向（袋の上下方向）に裂き易く製造しているため、切り口を設けた場合は、培地の投入ショックで裂けてしまい充填できなくなってしまう。この発明はこれらの欠点を改善するためになされたものである。【０００９】つぎに、この発明を図２および図４について説明する。  図２において（１１）は栽培袋本体で、この本体（１１）の上部には、投入口（１２）を設け、この投入口（１２）の縁部（１３）に僅かな間隔（１４）をおいて小さな切り孔（スリット）（７）（この実施例では切開長さ４ｍｍ程度）を数箇所設ける。このようにした栽培袋（１１）は図４に示すように、培地投入後は密封シール（１５）されるが投入口（１２）の縁部（１３）の内側に沿ってスリット（７）が配置されている。【００１０】このように、培地を投入した栽培袋（１１）は培養、成熟行程完了後、投入口（１２）を開いて発生操作するものであるが、投入口（１２）を手捌きによって開く場合、図５に示すように、矢印のように引っ張るとスリット（７）の上下（１６）（１７）が伸びて裂けてくるのでフイルムを裂き易いくするものである。
【発明の効果】
【００１１】この発明は、上述のように投入口（１２）の縁線（１３）からわずかな間隔（１４）をおいて縁線（１３）に達しない切り裂きスリット（７）を設けたので縁線（１３）が連続しており、培地投入ショックで裂けること無く保たれ、また、発生操作の切り裂きも僅かな力で裂くことが出来るので、手捌きによる作業を容易にする効果を有するものである。
【図面の簡単な説明】
【図１】は従来のキノコ栽培袋の斜面図
【図２】はこの発明のキノコ栽培袋の口部斜面図
【図３】は従来のきのこ栽培袋に培地を投入密閉した状態の斜面図
【図４】はこの発明のきのこ栽培袋に培地を投入密閉した状態の斜面図
【図５】は口部が裂ける状態を示す開口部の説明図である。
【符号の説明】
（１１）栽培袋本体、（７）切り裂きスリット、（１４）投入口部縁からの間隔
【図１】
2008167727.tif 000003
【図２】
2008167727.tif 000004
【図３】
2008167727.tif 000005
【図４】
2008167727.tif 000006
【図５】
2008167727.tif 000007
(57)【要約】      （修正有）【課題】食品を水中に浸した状態で高圧処理加工する方法を提供すること。【解決手段】食品に６０００気圧あるいはそれ以下の圧力下で加圧し、農薬等の化学物質の除去を実現する。また、粟・稗・黍などを水中で同様に  加圧し、加熱調理が容易な食品を提供するとともに、栄養強化食品を製造する。さらに小麦の練り生地に高圧を加えることによって、グルテンの結合を促進するとともに、添加した油脂を均等に浸透させ、食味の良好な食品を提供する。【選択図】図１
2008167730.tif 000002
【特許請求の範囲】
【請求項１】
食品を水中に浸して９０００気圧以下の圧力を加え、その食品に付着ないし含まれる農薬を分解ない水中に溶出せしめることによって、食品等の安全性の高い食品の製造法およびその食品。
【請求項２】
加圧室３に食品の栄養機能性物質を溶解若しくは混合し、さらに穀類などの食品を浸して加圧することによって、食品の栄養機能を強化する製造法およびその食品。
【請求項３】
小麦粉の練り生地に９０００気圧以下の圧力を加えることによって、グルテンの結合を促進させる製造法。
【請求項４】
小麦粉の練り生地に９０００気圧以下の圧力を加えることによって、練りこまれた油脂を均一に浸透させる製造法。
【請求項５】
大豆、小豆、粟、黍、稗を６０００気圧・常温で５秒から数分間水中で加圧した後乾燥させることにより調理しやすい食品に変化させる製法およびその食品。
【発明の詳細な説明】
【発明の詳細な説明】
【産業上の利用分野】
【０００１】  本発明は食品を水中に浸した状態で高圧処理することによって、人体に害となる科学物質を食品等から除去あるいは著しく低減する。また栄養強化食品を製造する。
さらに、小麦粉に加水し練られた生地に含まれるグルテンの結合を促進させる。また油脂を含む生地では、その油脂を均一に浸透させ、良好な食感を実現する。
【背景技術】
【０００２】  食品に含まれる農薬・アレルゲンを除去する方法としては、表面に付着する農薬を流水で洗浄する方法しかなかった。
小麦粉に水を加えて練った生地に加圧する手段としては、人力による、あるいは機械により圧延する方法がある。
【発明が解決しようとする課題】
【０００３】  本発明は、食品に付着ないし含まれる農薬などの化学物質・アレルゲンを除去し安全な食品を製造する。また、加圧によって穀類および他の食品の内部まで浸透困難であった栄養成分を加熱することなく浸透させる。
また小麦粉、特にグルテンの少ない国内産小麦のグルテンの結合を促進するとともに、油脂を加えた場合に油脂を均等に浸透させる。
【課題を解決する手段】
【０００４】  図１に示された加圧装置の加圧室（３）の部分に水あるいは他の溶液を満たし，その液内に圧力を加えようとする物体を入れ、適宜圧力を加えることによって，目的とする効果を得ることができる。
【作用・実施例】
【０００５】玄米では、自身に含まれる酵素が最も活性化する約４０℃の水に数時間漬け、グルタミン酸をγ−アミノ酪酸（ギャバ）に変化させた後、６０００気圧に加圧・乾燥すればギャバ強化玄米が製造出来る。このギャバ強化米は滅菌されているために、保存性が高く、風味の良いギャバ強化玄米を提供できる。
また栄養強化食品を製造するには、加圧室に入れる液にあらかじめ強化したい栄養素（各種ミネラル・ビタミン類・デキストリン・γ−アミノ酪酸（ＧＡＢＡ）等）を溶解又は混合し、その中に直接穀類その他の食品を浸して、６０００気圧以下の圧力を加える。そのことによって液中の栄養素が食品内部まで浸透し、安定した栄養強化食品を製造することが出来る。
農薬を含む物体から農薬を除去するには、水ないし他の液体にその物体を浸しながら６０００気圧以下に加圧するのであるが、その際農薬は水中に溶出するか、もしくは二重結合が切断するなどの変化を受けて消失することが観察される。われわれは４０種の農薬について分析を試み、良好な結果を得た。
また、国内産中力小麦粉を使って、通常の製法でパンを製造し、６０００気圧で生地を１分間加圧した後醗酵させて焼いたパンの食味を比較検討した。その結果著しく食味が向上することが判った。
【発明の効果】
【０００６】  以上のように食品の安全性を高めるとともに、調理が容易な食品の製造が可能となった。
国内産小麦を使用して、強力小麦粉使用のパンに劣らぬ品質のパンの製造が可能である。
【図面の簡単な説明】
【図１】  加圧装置の概略図である。
【符号の説明】
１．加圧部  ２．油圧装置  ３．加圧室
【図１】
2008167730.tif 000003
(57)【要約】【課題】  夏場になると蚊や蠅が飛び回るので、それを人の手で捕まえる事が出来るようにする。【解決手段】  片手で持てる大きさで、飛んでいる虫を捕まえられるように、粘着剤をネットに付けた。【選択図】図１
2008167726.tif 000002
【特許請求の範囲】
【請求項１】
円形又は、四角形の枠に柄をつけた本体に、取り替え用の円形又は、四角形の粘着剤付きのネットを取り付け、カバーで挟んだ虫取り。
【請求項２】
枠の面が地面に当たらないように、枠の縁を面に対して直角に伸ばした虫取り。
【発明の詳細な説明】
【技術分野】
【０００１】  本発明は、蚊や蠅が飛んでいたり、平面に止まっている時に捕まえるものである。
【背景技術】
【０００２】  従来は、蠅たたきによって捕まえていた。
【発明の開示】
【発明が解決しようとする課題】
【０００４】  蠅たたきを使うと、蠅がつぶれてしまうので、それをかたづけなければいけないという難点があった。本発明は、この課題を解消するためになされたものである。
【課題を解決するための手段】
【０００５】  蠅などの虫がつぶれないようにするため、飛んでいるときに捕まえるのに、粘着剤の付いたネットを使うと、かたづけをしなくてすむ。それに、取り替え式なので、そのまま捨てることができる。
【発明の効果】
【０００６】  粘着剤が付いているので飛んでいる虫を捕まえることができ、枠の縁が出っ張っているので、平面に止まっている時にも使用できる。それから、取り替え式なので、いつでも新しい物に取り替えることができる。以下、本発明の実施の形態について説明する。
（イ）  虫取り本体の枠に、粘着剤付きネットを取り付けて使う。
【実施例１】
【０００７】  虫取り本体は、円形又は、四角形の枠に持ち手をつけて、枠の縁を面に対し直角に伸ばす。それに、円形又は、四角形の粘着剤付きのネットを取り付けてカバーで挟む。
【図面の簡単な説明】
【０００８】
【図１】  本発明の正面図である。
【図２】  本発明の粘着剤付きネットの取り付け時の正面図である。
【図３】  図１の線Ａ−Ａ’での枠部分の断面図である。
【符号の説明】
【０００９】  １  虫取り本体
２  粘着剤付きネット
３  枠の縁を伸ばす
４  カバー
【図１】
2008167726.tif 000003
【図２】
2008167726.tif 000004
【図３】
2008167726.tif 000005
(57)【要約】      （修正有）【課題】従来から行っている農畜産物生産は一つの場所で行うのが通例である。一連の作業過程をそれぞれ分離・集約し、種まき、栽培、収穫、出荷、各々の作業に合った場所や施設、設備、生産方法などを確立し、作業効率の向上・労働負担の軽減等ができるようにする。【解決手段】農畜産物生産過程の栽培・育成過程を分離・分散し、その他の作業を集約するために、農畜産物の生産における、床付農畜産物生産ハウス施設を、各地に設置できるような構造のものを作成する。当該ハウス施設の内部に、種まきした可動式畑を運び込み育て、出荷できるくらい成長したら、そのまま運び出し、各地から運び出された可動式畑を作業場に集め、収穫を各作業所で行えるようにする。各作業所では、室内で作業できるようにし、季節・天候に左右されず、労働負担の軽減ができ、また集約することで同一作業が多くなるため機械化でき、生産力・作業効率の向上ができる。【選択図】図１
2008167729.tif 000002
【特許請求の範囲】
【請求項１】
床付で密閉度が高く、温度調製に優れた温冷室（１）。荒地や砂漠地帯などの不毛の地でも容易に設置できる。室温も安定させることが出来る。２階、３階、それ以上と階層作りにできる。階層部分や床下・壁・天井などに水タンクを置き、室温を安定させることが出来るとともに、水を安定的に供給できる。また階層部分では、農畜産物の生産に使用できる。
温冷室の空気調節方法・床の材質・温冷室の材質はガラス・合成樹脂・発砲スチロール・鉄・アルミ・ステンレス等を適度に使用し組み立て使用する。
【請求項２】
動かせるハコ・トヨ・マス等を使用し、下から空気を水中へ送り、上の土へ空気と水が送られ、土の中のバクテリアの繁殖を促し作物の成長を良くする畑（２・５）。
移動するハコ・トヨ・マス等の形・大きさ・材質等はこれを定めない
【請求項３】
農産物の生産で例を挙げると種まき、栽培、収穫、出荷といった一連の作業を同一地域で行うことが多い。一連の作業から栽培・育成の過程を分離し、その他の作業を集約することで生産力・作業効率の向上・労働負担の軽減等ができるような農畜産物の生産方法。
【発明の詳細な説明】
【技術分野】
【０００１】  本発明は、農業生産の効率化を図るための農業施設・設備及び生産方法に関するものである。
【発明の開示】
【発明が解決しようとする課題】
【０００２】  従来から行っている農畜産物生産は一つの場所で行うのが通例である。農産物の生産で例を挙げると種まき、栽培、収穫、出荷といった一連の作業を同一地域で行うことが多い。一連の作業過程をそれぞれ分離または集約し、種まき、栽培、収穫、出荷、それぞれの作業に合った場所や施設、設備、生産方法などを確立し、作業効率の向上・労働負担の軽減等ができるようにすることが課題である。
【課題を解決するための手段】
【０００３】  前記課題を克服するため、本発明は、農畜産物の生産過程分離集約方式を確立する。生産過程を分離するため、各地に設置できる床付農畜産物生産ハウスの製作と、分離した作業をつなげるために可動式の畑の製作をする。床付農畜産物生産ハウス以外の作業は作業所（３）に集約する。【０００４】  床付農畜産物生産ハウス施設の構造について詳述する。荒地や砂漠地帯などの不毛の土地でも設置・撤去が容易にできる構造（４）。寒暖の厳しい土地でも対応できるよう床付で密閉度が高く、温度調製に優れた構造の温冷室。作物等が室温に左右されないようにするため、階層部分や床下・壁・天井などに水タンクを置けるようにし、室温を安定させ、また水を安定的に供給できる構造。２階、３階、それ以上と階層作りにすることもできるようにする。また階層部分では、農畜産物の生産に使用する。
温冷室の空気調節方法・床の材質・温冷室の材質はガラス・合成樹脂・発砲スチロール・鉄・アルミ・ステンレス等を適度に使用し組み立て使用する。【０００５】  床付農畜産物生産ハウス施設の内部に、可動式の畑（２）を使用する。作業所（３）で種まきした可動式畑を栽培・育成専用ハウスに運び込み育てる。出荷できるくらい成長したら、そのまま畑ごと運び出し、作業所に集め収穫を行う。可動式の畑は農畜産物の生産過程分離した作業をつなげるための役割を果たす。
可動式畑の構造について詳述する。よりよく育てるために下から空気を水中へ送り、空洞をとおり、上の土へ空気と水蒸気が送られ、土の中のバクテリアの繁殖を促し作物の成長を良くする構造（５）の畑を利用する。【０００６】  この施設、設備及び生産方法は栽培育成過程を分散し、その他の作業を集約することがこの生産方法の特徴である。
出荷生産力・作業効率の向上・労働負担の軽減・土地の有効活用等ができる生産方法である。
【発明の効果】
【０００７】  どんな土地でも農畜産物が生産できるため、安定供給ができる。
温室を置くことにより、二・三ヵ月後には食物の生産が出来る。
設置場所が草原・砂漠・荒地ビルの上でも置くだけなので２・３ヵ月後には食物の収穫が始められる
荒地・砂漠地帯でも温室を置くだけで二・三ヵ月後には食物の生産が出来る。
特砂漠・火山灰や溶岩の流れた荒地等の不毛の土地にも使用可。
炎天下の畑仕事がなくなり寒暖のさもなくなるので農作業が楽になる。
畑が動くので室内での農作業が出来るので、寒暖等の負担が少なく作業ができ機械化が可能。
密室形なので虫・鳥・その他の動植物や季節・天候に左右されない。
虫・鳥・その他の動植物より管理ができるので農薬や除草剤が不要になる。
作物ごとにハコを使い分けられるため、時間差をつけ、生産することができる。
作物に最良の土地を作ることが出来る。
土地が無駄なく有効活用できる。
毎日定量の生産ができるので、備蓄の必要がなく全て産地直送によりコストの引き下げができる。
２次加工製品（ビール・油・エタノール等）の生産を安定的に提供できる。
温室に床を張ることにより、密室性ができ、よりいい環境で作物が育つ。
効率化と生産性の向上
【産業上の利用の可能性】
【０００８】  食糧問題の解消
自給率の増加
環境にやさしく安全な農産物を毎日一定量安定価格で提供できる農産物の生産
発展途上国に貢献
農業従事者減少の歯止め
生きがいや、やりがいを持てるような、魅力あふれる農産物生産業へ
地域力の発掘・高揚、生きがいの感得、雇用の創出
【図面の簡単な説明】
【０００９】
【図１】  床付農畜産物生産ハウス・可動式畑を使用した農畜産物の生産方法の全体像を示した平面図である。
【図２】  可動式畑を平面図である。
【符号の説明】
【００１０】  １床付農畜産物生産ハウス
２可動式畑の使用例
３作業所
４床付農畜産物生産ハウスの設置例
５可動式畑の構造
【図１】
2008167729.tif 000003
【図２】
2008167729.tif 000004
(57)【要約】【課題】ハリス巻きスプールのハリス巻き作業とハリスの放出作業を妨げる餌付きハリの処理。【解決手段】スプールの糸巻面に餌付きハリを収納する入口を設け、その上にハリスが巻かれる構造とした。【選択図】図１
2008167728.tif 000002
【特許請求の範囲】
【請求項１】
円筒部とその両端に形成されたフランジより成るスプールに餌付きハリを収納するキャビテーの入口をハリス巻き面に設けた、ハリス巻きスプール。
【請求項２】
円筒部内部の空間に、そこを横切る取手を設け、その内部を餌付きハリを収納するキャビテーとした請求項１のハリス巻きスプール。
【請求項３】
取手を透明材で形成した請求項２のハリス巻きスプール。
【発明の詳細な説明】
【発明の技術分野】
【０００１】この発明は、マダイ釣等に使われるハリス巻きスプールに関する。
【従来の技術及び発明が解決しようとする課題】
【０００２】警戒心の強いマダイ等を釣るには、違和感をあたえない餌の提供が重要であり、そのため７米とか１６米の長いハリスが使われる。舟からのハリスの出し入れは、短いハリスの場合ハリスを投入した後から天秤（天秤にはコマセカゴとオモリが付いている）を投入するが、長いハリスの場合には、足元にたぐり寄せられた長いハリスはそのまま投入することが出来ないので、天秤を先に投入し、ハリスにテンションをかけハリスの緩みをとりながら放出する。しかし足元の長いハリスの処理には熟練を要し、風が吹けばベテランでもからませることが多い。そのためこの長いハリスを巻き取り、そのままハリスを放出出来るスプールが開発された。このスプールは糸を巻く円筒部と、その両端に形成されたフランジより成り、フランジはハリスを出しやすくするため外側に開いている。しかしこのスプールではハリスは餌付きハリをスプールの外に出して巻き、出したままハリスを放出しなければならないので、そのハリスは餌付きハリがハリス巻き作業やハリス放出作業を妨げる問題を残した。そこで本発明はこの問題を解消するハリス巻きスプールの提供を課題とした。
【課題を解消する手段】
【０００３】本発明の課題は、ハリス巻きスプール内にハリ又は餌付ハリを収納するキャビテーを設けその入口をスプールのハリス巻き面に作ることにより解消した。即ち最初に餌付ハリをキャビテーに納めキャビテーの入口の上にハリスを巻けば、前記巻時の問題もハリス放出時の問題も生じない。
【発明の実施例】
【０００４】以下本発明の実施例について説明する。図１は本発明の一実施例を示す斜視図である。ハリス巻きスプール１は、円筒部２とその両端に形成されたフランジ３、４とで構成されている。円筒部の外側はハリス巻き面５であり、巻面５には餌付きハリを収納するキャビテーの入口６が形成されている。円筒部内側にはその空間を横切る取手７が設けられている。取手の内側は空洞であり餌付ハリを収納するキャビテー８である。図３は取手の縦断断面図でありキャビー８とその入口６との関係を示す。図４はハリス止９の取付状態を示すスプール１の背面図である。図５は別の実施例のキャビテーとハリス巻面に形成されたキャビテーの入口を示す断面図である。
【実施例の関連用具】
【０００５】図６はハリス１０との関係を示す一連の用具である。リール２０からの道糸２１は釣竿２２を介し天秤２３に結ばれる、天秤２３の下にはオモリ付きコマセカゴ（ビシ）２４が付けられている。天秤の腕２５にはクッションゴム２６を介してハリス１０が付けられ、ハリスの先端にはハリ１１が結ばれている。
【実施例の使い方】
【０００６】図２は本発明の一実施例である。ハリス巻きスプールのキャビテー８に餌付きハリ１２を納め、ハリス巻き面にハリスを巻いてキャビテーの入口６を封じた状態を示している。ハリス部分を巻き終わったところでハリスをハリス止９に止めれば、投餌準備が完了し、何時でも投餌できる状態になる。投餌にあたっては、ハリス巻きスプールを片手で持ち、スプールからハリスが出やすいようにかまえる。もう一方の手は天秤の投入とリールの回転スピードを調整するためにあけておく。天秤を投入するとハリスは天秤に引かれ音もなく放出される。但しそのままでは、キャビテーから餌付きハリが引き出される速度が速すぎて餌がいたむので天秤の落下速度を遅くする必要がある。天秤の落下速度は回転するリールのスプールの上に手を置き調整する。
【発明の効果】
【０００７】本発明のハリス巻きスプールではハリスを巻く前にキャビテーに餌付ハリを納めるので、餌付針がハリス巻き作業を妨げることはない。また、餌付ハリは全部ハリスが放出されるまでキャビテー内に封じ込まれておりハリスの放出を妨げることはない。
【図面の簡単な説明】
【０００８】
【図１】は、本発明の一実施例を示す斜視図である。
【図２】は、本発明の一実施例の使用状態を示す斜視図である。
【図３】は、取手の断面図である。
【図４】は、ハリス止を示す背面図である。
【図５】は、別の実施例を示す断面図である。
【図６】は、ハリスに関係する一連の用具である。
【符号の説明】
１      スプール
２      円筒部
３、４  フランジ
５      ハリス巻き面
６      入口
７      取手
８      キャビテー
９      ハリス止
１０    ハリス
１１    ハリ
１２    餌付ハリ
２０    リール
２１    道糸
２２    釣竿
２３    天秤
２４    ビシ
２５    天秤の腕
２６    クッションゴム
【図１】
2008167728.tif 000003
【図２】
2008167728.tif 000004
【図３】
2008167728.tif 000005
【図４】
2008167728.tif 000006
【図５】
2008167728.tif 000007
【図６】
2008167728.tif 000008